(57)【要約】      （修正有）【課題】一般家庭における壁面や家具の洗浄にも利用できる超臨界流体洗浄装置を提供する。【解決手段】処理空間１０を囲むと共に、処理空間１０と外部とを連通させる開口１１が設けられたケーシング１と、処理空間１０に収容される流体を加熱することができる加熱手段３１と、処理空間１０に収容される流体の圧力を高めることができる加圧手段３２と、ケーシング１の開口１１により噴射される流体の流量を制御することができる射出バルブ３３とを備えており、加熱手段３１及び加圧手段３２を起動して処理空間１０内に注入された流体を超臨界流体にしてから、射出バルブ３３を制御して開口１１を開放して処理空間１０内にある超臨界流体を被洗浄体に対して噴射して被洗浄体を洗浄できる。【選択図】図１
0003195085.tif 000002
【実用新案登録請求の範囲】
【請求項１】
流体を収容できる処理空間を囲むと共に、前記処理空間と外部とを連通させる開口が少なくとも１つ設けられて前記処理空間が前記開口のみを経由して外部と連通することができるように構成されたケーシングと、
前記ケーシングに取付けられていて前記処理空間に収容される流体を加熱することができる加熱手段と、
前記ケーシングに取付けられていて前記処理空間に収容される流体の圧力を高めることができる加圧手段と、
前記ケーシングの前記開口の少なくとも１つに取付けられていて、１つの前記開口により噴射される流体の流量を制御することができる射出バルブと
を備えており、
前記加熱手段及び前記加圧手段を起動して前記処理空間内に注入された流体を超臨界流体にしてから、前記射出バルブを制御して前記開口を開放して前記処理空間内にある超臨界流体を被洗浄体に対して噴射して前記被洗浄体を洗浄できること
を特徴とする超臨界流体洗浄装置。
【請求項２】
前記ケーシングに取付けられていて前記処理空間に収容される流体に対して放電することができる放電手段を更に備えていることを特徴とする請求項１に記載の超臨界流体洗浄装置。
【請求項３】
前記放電手段は、正電源と電気的に接続する板状の正電極板と、
前記正電極板と間を空けて平行に配置されていると共に、負電源と電気的に接続する板状の負電極板とを有し、
前記正電極板と前記負電極板との中の１つに、他の１つに向って突起する複数の放電突起が形成されていること
を特徴とする請求項２に記載の超臨界流体洗浄装置。
【考案の詳細な説明】
【技術分野】
【０００１】
本考案は超臨界流体洗浄装置に関し、特に、超臨界流体を使用して洗浄することができる超臨界流体洗浄装置に関する。
【背景技術】
【０００２】
超臨界流体（ｓｕｐｅｒｃｒｉｔｉｃａｌ ｆｌｕｉｄ／ＳＣＦ）とは、臨界点以上の温度・圧力下において、気体のように圧縮に対する抵抗が小さくて浸出（Ｅｆｆｕｓｉｏｎ）することが可能であると共に、液体のように溶質分子もしくは溶質が電離して生じたイオンと溶媒分子とが、静電気力や水素結合などによって結びつき溶質が溶媒中に拡散する溶媒和が見られるため、物質が気体と液体の区別がつかず、気体の拡散性と液体の溶解性を持つ状態を指すものである。
【０００３】
近年、有機溶媒の代わりに表面張力が殆どなく、優れた浸出性を持ちながら気体の拡散性と液体の溶解性を持つ超臨界流体を溶媒として使用する可能性が見出され、次いで超臨界流体を用いる洗浄効果も注目されている。例えば特許文献１に示されているように、超臨界流体を用いる従来の洗浄方法または洗浄装置は、被洗浄体を所定の処理チャンバーに収容する必要があり、そのため、超臨界流体を用いる洗浄は殆ど工場などに限られており、一般家庭における壁面や家具の洗浄には適用されない。
【先行技術文献】
【特許文献】
【０００４】
【特許文献１】特開２００９−１５２２９０号明細書
【考案の概要】
【考案が解決しようとする課題】
【０００５】
本考案は上記問題点に鑑みて、一般家庭において超臨界流体を利用して壁面や家具を洗浄することができる超臨界流体洗浄装置の提供を目的とする。
【課題を解決するための手段】
【０００６】
上記目的を達成すべく、本考案は、流体を収容できる処理空間を囲むと共に、前記処理空間と外部とを連通させる開口が少なくとも１つ設けられて前記処理空間が前記開口のみを経由して外部と連通することができるように構成されたケーシングと、前記ケーシングに取付けられていて前記処理空間に収容される流体を加熱することができる加熱手段と、前記ケーシングに取付けられていて前記処理空間に収容される流体の圧力を高めることができる加圧手段と、前記ケーシングの前記開口の少なくとも１つに取付けられていて、１つの前記開口により噴射される流体の流量を制御することができる射出バルブとを備えており、前記加熱手段及び前記加圧手段を起動して前記処理空間内に注入された流体を超臨界流体にしてから、前記射出バルブを制御して前記開口を開放して前記処理空間内にある超臨界流体を被洗浄体に対して噴射して前記被洗浄体を洗浄できることを特徴とする超臨界流体洗浄装置を提供する。
【考案の効果】
【０００７】
上記のように、本考案の超臨界流体洗浄装置は、所定の処理空間内に封入される流体を加温、加圧して該流体を超臨界流体にしてから、その超臨界流体を被洗浄体に対して噴射して前記被洗浄体を洗浄することができるので、被洗浄体を収容するチャンバーを予め用意する必要がなく、一般家庭においても超臨界流体を壁面や家具に噴射して洗浄することができる。
【図面の簡単な説明】
【０００８】
【図１】本考案の超臨界流体洗浄装置の第１の実施形態の構成が示されている説明図である。
【図２】本考案の超臨界流体洗浄装置の第１の実施形態のコンセプトが示されるフローチャートである。
【図３】本考案の超臨界流体洗浄装置の第２の実施形態の構成が示されている説明図である。
【図４】本考案の超臨界流体洗浄装置の第２の実施形態のコンセプトが示されるフローチャートである。
【考案を実施するための形態】
【０００９】
以下では各図面を参照しながら、本考案の各好ましい実施形態について詳しく説明する。
【００１０】
図１は本考案の超臨界流体洗浄装置の第１の実施形態の構成が示されている説明図であり、図２はこの第１の実施形態の超臨界流体洗浄装置の第１の実施形態のコンセプトが示されているフローチャートである。
【００１１】
図１に示されているように、本考案の超臨界流体洗浄装置の第１の実施形態は、流体供給ユニット２より供給されてきた流体を収容できる処理空間１０を囲むと共に、処理空間１０と外部とを連通させる開口１１が少なくとも１つ設けられて処理空間１０が開口１１のみを経由して外部と連通することができるように構成されたケーシング１と、ケーシング１に取付けられていて処理空間１１に収容される流体を加熱することができる加熱手段３１と、ケーシング１に取付けられていて処理空間１１に収容される流体の圧力を高めることができる加圧手段３２と、ケーシング１の開口１１の少なくとも１つに取付けられていて、１つの前記開口により噴射される流体の流量を制御することができる射出バルブ３３とを備えるように構成されたもので、この実施形態では、ケーシング１に流体供給ユニット２と連通する注入口１１ａと、射出バルブ３３が取付けられて射出バルブ３３によって封止される射出口１１ｂとの２つの開口１１が形成されている。
【００１２】
本考案の超臨界流体洗浄装置のコンセプトは、図１に示される超臨界流体洗浄装置を用い、図２に示される超臨界流体生成工程（ステップ７１）及び噴射工程（ステップ７２）を実行して洗浄体を洗浄する。
【００１３】
即ち、超臨界流体生成工程（ステップ７１）では、加熱手段３１及び加圧手段３２を起動し、流体供給ユニット２より処理空間１０内に注入された流体を超臨界流体にする。
【００１４】
次いで噴射工程（ステップ７２）では射出バルブ３１を制御して射出口としての開口１１ｂを開放して処理空間１０内にある超臨界流体を被洗浄体に対して噴射して被洗浄体を洗浄する。
【００１５】
本考案の超臨界流体洗浄装置に用いられて処理空間１０内に注入される流体は、二酸化炭素、水、メタノール、エタノール、クロロホルム、クロロメタンとからなる群により選ばれるいずれか１つであり、特に超臨界状態にある二酸化炭素は強い溶解性能を示し、被洗浄体を洗浄するには最適である。
【００１６】
さらに上記本考案の超臨界流体洗浄装置は、被洗浄体に対して洗浄効果を発揮することができる上、農業においても、本考案の超臨界流体洗浄装置を用いて農地に対して超臨界流体を散布することにより、農業用殺虫剤の代わりに除虫効果を発揮することができるので、環境や人体に対する負荷の少ない除虫手段として利用することも可能である。
【００１７】
また、図３は本考案の超臨界流体洗浄装置の第２の実施形態の構成が示されている説明図であり、図４はこの第２の実施形態の超臨界流体洗浄装置のコンセプトが示されるフローチャートである。
【００１８】
図３に示されているように、本考案の超臨界流体洗浄装置の第２の実施形態は第１の実施形態と同じく、流体を収容できる処理空間１０を囲むと共に、流体供給ユニット２と連通する注入口としての開口１１ａ及び射出バルブ３３が取付けられる射出口としての開口１１ｂのみを経由して処理空間１０と外部とを連通させることができるように構成されたケーシング１と、ケーシング１に取付けられていて処理空間１１に収容される流体を加熱することができる加熱手段３１と、ケーシング１に取付けられていて処理空間１１に収容される流体の圧力を高めることができる加圧手段３２と、を備える上、ケーシング１に取付けられていて処理空間１０に収容される流体に対して放電することができる放電手段４を更に備えている。また、この図３には、放電手段４と加熱手段３１と加圧手段３２と射出バルブ３３とに作動に必要な電気を提供する電源手段５も示されているが、電源手段５の加熱手段３１と加圧手段３２と射出バルブ３３との間にある配線の図示は省略されている。
【００１９】
図示したように、放電手段４は電源手段５の正電源５１と電気的に接続する板状の正電極板４１と、正電極板４１と間を空けて平行に配置されていると共に、電源手段５の負電源５２と電気的に接続する板状の負電極板４２とを有し、負電極板４２には正電極板４１に向って突起する複数の放電突起４３が形成されている。なお、放電突起４３は正電極板４１側から負電極板４２に向って突起するように形成することも可能である。
【００２０】
本考案の超臨界流体洗浄装置の第２の実施形態のコンセプトは、加熱手段３１及び加圧手段３２を起動し、流体供給ユニット２より処理空間１０内に注入された流体を超臨界流体にする超臨界流体生成工程（ステップ７１）と、射出バルブ３１を制御して射出口としての開口１１ｂを開放して処理空間１０内にある超臨界流体を被洗浄体に対して噴射して被洗浄体を洗浄する噴射工程（ステップ７２）との間で、超臨界流体生成工程において生成された超臨界流体に対して放電することによって超臨界流体に負の電荷を負わせる放電工程（ステップ７３）が実行される所にある。従って本考案の超臨界流体洗浄装置を使用する状況においては、被洗浄体に対して噴射する超臨界流体が負の電荷を負うため、環境や人体に対する負荷の少ないままで被洗浄体に対して洗浄効果が高められた上に、チリダニなどを駆逐する除虫効果をも発揮することができる。
【産業上の利用可能性】
【００２１】
上記構成によれば、本考案の超臨界流体洗浄装置は、所定の処理空間内に封入される流体を加温、加圧して該流体を超臨界流体にしてから、その超臨界流体を被洗浄体に対して噴射して前記被洗浄体を洗浄することができるので、被洗浄体を収容するチャンバーを予め用意する必要がなく、一般家庭においても超臨界流体を壁面や家具に噴射して洗浄することができる。
【符号の説明】
【００２２】
１  ケーシング
１０  処理空間
１１  開口
１１ａ  注入口
１１ｂ  射出口
２  流体供給ユニット
３１  加熱手段
３２  加圧手段
３３  射出バルブ
４  放電手段
４１  正電極板
４２  負電極板
４３  放電突起
５  電源手段
５１  正電源
５２  負電源
【図１】
0003195085.tif 000003
【図２】
0003195085.tif 000004
【図３】
0003195085.tif 000005
【図４】
0003195085.tif 000006